(57)【特許請求の範囲】
【請求項１】
棒状化粧料保持用の繰出筒の外周面から突設されたガイド突起を、円筒体の周壁に穿設された縦穴に係合させて上記繰出筒を上記円筒体に収納し、この円筒体の下部を有底円筒体に取り外し可能に固定し、上記縦穴を挿通して上記円筒体から突出するガイド突起を外筒の内周面に設けられたらせん溝に係合させ、上記外筒の下端縁から上記円筒体の下部を突出させた状態で上記外筒の下部を上記円筒体の下部に外嵌した棒状化粧料容器であって、上記円筒体の下部周壁に、その下端縁から延びて上記外筒との嵌合部分に至る切欠き部を形成し、上記円筒体の下部周壁を内向きに押圧して縮径させることによりこの円筒体を外筒から取り外し可能に構成したことを特徴とする棒状化粧料容器。
【請求項２】
上記外筒の下部周壁に、その下端縁から延びて上記円筒体との嵌合部分に至る切欠き部が形成されている請求項１記載の棒状化粧料容器。
【発明の詳細な説明】
【０００１】
【発明の属する技術分野】
本発明は、口紅，リップクリーム，チック等の棒状化粧料を容器から繰り出して使用する棒状化粧料容器に関するものである。
【０００２】
【従来の技術】
一般に、口紅等の棒状化粧料の容器としては、図１９に示すようなものが使用されている。すなわち、この容器は、両側にガイド突起３１が突設された金属製の繰出筒３２と、両側に相対峙して縦穴３３が穿設された金属製の有底状内筒３４（最近では、この有底状内筒３４を、金属製の有底状袴部と合成樹脂製の縦穴３３付き内筒部に別々に成形し、両者を相対回動不能に取り付けたものが多い）と、内周面に２本のらせん溝３６が刻設された金属製の外筒３５と、この外筒３５に冠着される金属製のキャップ３７を備えている。この容器は、縦穴３３を挿通して内筒３４から突出しているガイド突起３１にらせん溝３６を係合させながら外筒３５を内筒３４の外周面に外嵌することにより組み立てられる。図において、３８は繰出筒３２に固着された棒状化粧料である。この容器を使用する場合には、上記外筒３５と内筒３４を相対回動させることにより、その回転に伴い、外筒３５のらせん溝３６と内筒３４の縦穴３３との交点を上下に移動させ、この縦穴３３とらせん溝３６とに係合しているガイド突起３１が上記交点に位置決めされることにより、上記交点の上下移動に追従して繰出筒３２が昇降する。これにより内筒３４の上端開口部から棒状化粧料３８が繰り出されたり収容されたりすることが行われる。
【０００３】
このような棒状化粧料容器では、従来、外筒３５が有底状内筒３４（もしくは縦穴３３付き内筒部）に抜け止め状に取り付けられており、両者を簡単に分解することができないようになっている。一方、有底状内筒３４，縦穴３３付き内筒部，外筒３５の材質としては、金属材料や合成樹脂材料等各種のものが使用されている。
【０００４】
【発明が解決しようとする課題】
近年、年々増加する廃棄物の処理が社会問題化しており、ごみ排出量の抑制と資源リサイクル促進の必要性が高まっている。このため、ごみの種類によって、分別収集を義務づける自治体も増えている。また、製造業者にも、容器や包装物等のリサイクルが義務づけられる傾向になってきている。しかしながら、上記のような、従来の棒状化粧料容器では、外筒３５を有底状内筒３４（もしくは縦穴３３付き内筒部）から簡単に取り外すことができないため、使用しなくなった棒状化粧料容器を廃棄する際に、合成樹脂廃棄物と金属廃棄物に分離して廃棄することが行われておらず、ごみの分別収集に対応することができていないのが実情である。そこで、棒状化粧料容器のうちでも、最近採用されることの多い、有底状内筒３４を有底状袴部と縦穴３３付き内筒部に別々に成形したものにおいて、この縦穴３３付き内筒部から外筒３５を簡単に取り外すことのできる棒状化粧料容器が強く要望されている。
【０００５】
本発明は、このような事情に鑑みなされたもので、外筒と内筒部を容易に取り外すことができ、金属廃棄物と合成樹脂廃棄物等に分けて廃棄することのできる棒状化粧料の提供をその目的とする。
【０００６】
【課題を解決するための手段】
上記の目的を達成するため、本発明の棒状化粧料容器は、棒状化粧料保持用の繰出筒の外周面から突設されたガイド突起を、円筒体の周壁に穿設された縦穴に係合させて上記繰出筒を上記円筒体に収納し、この円筒体の下部を有底円筒体に取り外し可能に固定し、上記縦穴を挿通して上記円筒体から突出するガイド突起を外筒の内周面に設けられたらせん溝に係合させ、上記外筒の下端縁から上記円筒体の下部を突出させた状態で上記外筒の下部を上記円筒体の下部に外嵌した棒状化粧料容器であって、上記円筒体の下部周壁に、その下端縁から延びて上記外筒との嵌合部分に至る切欠き部を形成し、上記円筒体の下部周壁を内向きに押圧して縮径させることによりこの円筒体を外筒から取り外し可能に構成したという構成をとる。
【０００７】
すなわち、本発明の棒状化粧料容器は、棒状化粧料保持用の繰出筒を収納した円筒体と、この円筒体の下部を取り外し可能に固定した有底円筒体と、それ自体の下部を上記円筒体の下部に外嵌した外筒を備え、上記円筒体の下部周壁に、その下端縁から延びて上記外筒との嵌合部分に至る切欠き部を形成している。このものでは、外筒と円筒体を取り外す場合には、まず、有底円筒体から円筒体を取り外し、ついで、円筒体の下部周壁を手指で内向きに押圧して縮径させる。これにより、円筒体と外筒との外嵌部分での嵌合が緩くなる。そののち、円筒体の下部周壁を手指で押圧したまま外筒を手指で持って引っ張り、外筒から円筒体を抜き取ることが行われる。このように、本発明の棒状化粧料容器は、これを構成する有底円筒体と円筒体と外筒とに簡単に分解することができる。したがって、本発明の棒状化粧料容器を廃棄する際に、有底円筒体と円筒体と外筒とに分解し、これらを材質ごとに選り分けて廃棄することで、ごみの分別収集に対応することができる。しかも、円筒体の下部周壁を手指で内向きに押圧して縮径させたのち外筒を引っ張るだけで円筒体と外筒を分解することができ、分解作業が簡単である。
【０００８】
また、本発明において、上記外筒の下部周壁に、その下端縁から延びて上記円筒体との嵌合部分に至る切欠き部が形成されている場合には、円筒体を外筒から取り外す際に、外筒が拡径し、一層取り外し易くなる。
【０００９】
【発明の実施の形態】
つぎに、本発明の実施の形態を図面にもとづいて詳しく説明する。
【００１０】
図１は本発明の棒状化粧料容器の一実施の形態を示している。図において、１はキャップであり、２は袴（有底円筒体）であり、３は口紅保持部である。上記キャップ１は、図２に示すように、天井壁がドーム状に形成された金属製の有天円筒体であり、その下端部が上記袴２の上端部に着脱自在に外嵌している。上記袴２は、図３に示すように、有底円筒状に形成された金属製の袴本体４と、この袴本体４に抜け止め状で、かつ回動不能に取り付けられた金属製の中袴５とからなる。この中袴５は、円筒部分７と、この円筒部分７の下端開口部から下方に延設された二重壁部分６とからなり、上記円筒部分７の外周面が上記袴本体４の内周面に抜け止め状で、かつ回動不能に内嵌している。また、上記円筒部分７の上部が上記袴本体４の上端開口部から突出しており、この突出した部分７ａの外周面に上記キャップ１の下端部内周面が着脱自在に外嵌している。一方、上記二重壁部分６は、上記円筒部分７と同心状に形成された円筒状の内外両壁６ａ，６ｂと、これら内外両壁６ａ，６ｂの下端部同士を連結する円環状の底壁６ｃ（この底壁６ｃは上記袴本体４の底壁上に載置されている）とからなり、上記内外両壁６ａ，６ｂ間に後述する内筒部１１の太径係合部１８が回動不能で、かつ取り外し可能に内嵌する構造にしている。図において、７ｂは上記円筒部分７の上端開口部から内向きに突設された円環状の鍔部である。
【００１１】
上記口紅保持部３は、図４に示すように、円筒状に形成された金属製のスリーブ（外筒）１０と、ＰＯＭ樹脂（ポリオキシメチレン）製の内筒部（円筒体）１１と、棒状化粧料８保持用のＡＢＳ樹脂（アクリロニトリルブタジエンスチレン共重合体）製の中皿（繰出筒）１２とからなる。上記スリーブ１０は、上記内筒部１１に抜け止め状に、かつ回動自在に外嵌されるものであり、その下端部に１条の円環状の係合用溝部１０ｂが形成されているとともに、その上端開口部から内向きに円環状の鍔部１０ａが突設されている。この鍔部１０ａの内径は上記内筒部１１の上端部の外径より小径であり、上記鍔部１０ａの下面が内筒部１１の上端面に当接している。また、上記スリーブ１０の内周面には、多数のらせん溝１３（各らせん溝１３は、その始端から終端に至る間に、上記内周面を略１周するように形成されている）が等間隔置きに刻設されている。
【００１２】
上記内筒部１１は、図５および図６に示すように、内側下部に仕切り壁２１を有する円筒状体であり、上側の細径部と下側の太径部を有している。上記細径部には、図７および図８に示すように、その周壁の相対峙する部分に、その周壁の上端縁やや下側部分から下端縁近傍に延びる縦穴１４ａ，１４ｂが形成されているとともに、これら両縦穴１４ａ，１４ｂの上端部および下端部に横穴１５ａ，１５ｂが周方向に切欠き形成されている。また、これら両縦穴１４ａ，１４ｂのうち一方の縦穴１４ａの上端縁中央から切欠き部１６が縦向きに延びており、その先端は細径部の上端縁まで到達している。
【００１３】
一方、上記太径部は、上記スリーブ１０の下部を抜け止め状に、かつ回動自在に取り付ける太径取付部１７と、上記袴２の二重壁部分６の内外両壁６ａ，６ｂ間に回動不能で、かつ取り外し可能に内嵌する太径係合部１８からなる。上記太径取付部１７は、その外周面が、上記スリーブ１０の下部（らせん溝１３より下側部分）の内周面を回動自在に外嵌しうる寸法に形成されているとともに、上記太径取付部１７の下部（上記仕切り壁２１に対応する部分）の外周面には、上記スリーブ１０の係合用溝部１０ｂに抜け止め状に、かつ回動自在に係合する１条の円環状の被係合用溝部１７ａが形成されている。これにより、太径取付部１７にスリーブ１０の下部が抜け止め状に、かつ回動自在に外嵌されている。また、上記太径取付部１７の外周面のうち、上記一方の縦穴１４ａの下側に位置する部分には凹部１７ｂ（側面視で長方形である）が形成されており、この凹部１７ｂに、外面に凸曲面状の湾曲部１９ａ（側面視で長円形である）を有する凸部１９（側面視で長方形である）が突設されている。そして、この凸部１９の湾曲部１９ａの凸曲面が上記スリーブ１０の下部の内周面に弾圧状に当接し、スリーブ１０と内筒部１１を相対回動させたときに両者がスムーズに回動するようにしている。一方、上記太径係合部１８には、その相対峙する部分（両縦穴１４ａ，１４ｂ間における、周方向の中間位置）に、その下端縁から上方に向かって延びる切欠き部２０が形成されている。この切欠き部２０は先細り状に形成されており、その先端は上記太径取付部１７を少し超えた部分まで延びているとともに、上記仕切り壁２１を横断状に切欠いている（図９参照）。図５において、２１ａは仕切り壁２１に穿設された２つの貫通穴であり、２２ａは上記細径部に穿設された２つの窓である。また、図８において、２２ｂは上記太径取付部１７に突設されたスリーブ１０摺接用の２つの凸部である。
【００１４】
上記中皿１２は有底円筒状に形成されており、図１０〜図１２に示すように、その外周面の相対峙する部分に、上記内筒部１１の縦穴１４ａ，１４ｂに上下移動自在に係合するとともに横穴１５ａ，１５ｂに左右移動自在に係合する側面視で長円形状の板状ガイド突起２３が突設されている。これら両板状ガイド突起２３の突出長さは、上記縦穴１４ａ，１４ｂに係合させた状態で内筒部１１に収容したときに、両縦穴１４ａ，１４ｂからやや突出する長さに形成されている。そして、両板状ガイド突起２３の外面に、上記スリーブ１０の内周面に形成された多数のらせん溝１３にら合する数本のらせん溝２４が刻設されている。また、この中皿１２には、その底部に、棒状化粧料８を保持する保持板２５が形成されており、この保持板２５の上側部分（棒状化粧料８を保持する部分）は、その内周面が正多角形に形成されている。これにより、棒状化粧料８が中皿１２から抜け出しにくくしている。図１０において、２５ａは保持板２５に形成された中央貫通孔である。
【００１５】
このような棒状化粧料容器を、つぎのようにして組み立てることができる。すなわち、まず、内筒部１１の上端開口部の上方に中皿１２を位置させ、内筒部１１の両縦穴１４ａ，１４ｂに中皿１２の板状ガイド突起２３を位置決めし、その状態で中皿１２を下降させる。この下降の途中で、中皿１２の両板状ガイド突起２３で内筒部１１の上端部の切欠き部１６を押し拡げて、中皿１２を内筒部１１に嵌挿するとともに、両縦穴１４ａ，１４ｂに両板状ガイド突起２３を係合させる。この状態で中皿１２が内筒部１１に収容されており、中皿１２の外周面が内筒部１１の内周面に摺接しながら内筒部１１内を昇降する。また、この状態で内筒部１１に形成された２つの窓部２２ａから内部を観察することができ、棒状化粧料８の状態等を確認することができる。ついで、内筒部１１の上端開口部の上方にスリーブ１０を位置させ、その状態でスリーブ１０を下降させて内筒部１１の上端から嵌挿する。この嵌挿の際には、両板状ガイド突起２３のらせん溝２４がスリーブ１０のらせん溝１３に係合しやすいため、両者を相対回動させたほうが嵌挿させやすいが、相対回動させなくても、スリーブ１０を直線的に押し込むことで嵌挿させることができる。そして、この嵌挿の終わりに、スリーブ１０の係合用溝部１０ｂを内筒部１１の被係合用溝部１７ａに嵌合させる。この状態でスリーブ１０が内筒部１１に抜け止め状に、かつ回動自在に保持されている。また、スリーブ１０と内筒部１１を少し相対回動させるだけで、両板状ガイド突起２３のらせん溝２４がスリーブ１０のらせん溝１３に係合する。このようにして口紅保持部３を組み立てる。つぎに、この口紅保持部３の内筒部１１の太径係合部１８を袴２の上端開口部の上方に位置させ、その状態で口紅保持部３を下降させて太径係合部１８を袴２の二重壁部分６の内外両壁６ａ，６ｂ間に内嵌する。この状態で口紅保持部３の太径係合部１８が袴２に回動不能に保持されている。そののち、キャップ１を袴２の上端部に冠着することが行われる。
【００１６】
このようにして組み立てた棒状化粧料容器は、スリーブ１０を内筒部１１に対して相対回転させることにより、その回転に伴いスリーブ１０のらせん溝１３と内筒部１１の縦穴１４ａ，１４ｂとの交点が上下に移動する。そして、上記両縦穴１４ａ，１４ｂとらせん溝１３に係合している両板状ガイド突起２３が必然的に上記交点に位置決めされることになり、上記交点の上下移動に追従して中皿１２が昇降する。また、上記両板状ガイド突起２３の上昇位置および下降位置は、上記縦穴１４ａ，１４ｂに設けられた上下の横穴１５ａ，１５ｂに位置決めされる。
【００１７】
このような棒状化粧料容器は、不使用時には、中皿１２を下降させて両板状ガイド突起２３を内筒部１１の縦穴１４ａ，１４ｂの下側横穴１５ａ，１５ｂに位置決めし、不用意に中皿１２が上昇しないようにする。そして、この状態でキャップ１を冠着させておく。また、使用時には、キャップ１を取り外してスリーブ１０を露呈させ、袴２をスリーブ１０に対して相対的に一方向に回転させる。これにより、中皿１２が両縦穴１４ａ，１４ｂに沿って上昇し、棒状化粧料８がスリーブ１０の上端開口部から突出し使用可能状態になる。このようにして棒状化粧料８で化粧することが行われる。
【００１８】
一方、廃棄時には、まず、袴２からキャップ１を取り外す。ついで、袴２を手指で持ちながら口紅収容部３のスリーブ１０を手指で引っ張って袴２から口紅収容部３を引き抜く。つぎに、スリーブ１０と内筒部１１の太径係合部１８を別々の手指で持ちながら太径係合部１８を回して中皿１２を上昇させる。つぎに、太径係合部１８を手指で内側に押圧して太径取付部１７の被係合用溝部１７ａを縮径し、その状態でスリーブ１０を引っ張り内筒部１１から抜き取る。そののち、内筒部１１を手指で持ちながら、中皿１２の一方の板状ガイド突起２３を内筒部１１の縦穴１４ａの上端縁中央から延びる切欠き部１６の下方に位置決めし、そのまま中皿１２を引っ張って内筒部１１の上端開口部から抜き取る。これにより、棒状化粧料容器をキャップ１と袴２とスリーブ１０と内筒部１１と中皿１２に分解することができる。
【００１９】
上記のように、この実施の形態では、棒状化粧料容器をキャップ１と袴２とスリーブ１０と内筒部１１と中皿１２とに容易に分解することができる。したがって、この棒状化粧料容器を廃棄する場合に、金属製のキャップ１，袴２，スリーブ１０と、合成樹脂製の内筒部１１，中皿１２とに分別収集することができる。しかも、中皿１２の板状ガイド突起２３の外面にらせん溝２４を刻設し、このらせん溝２４をスリーブ１０の内周面のらせん溝１３にら合させているため、板状ガイド突起２３の突出長さを短くすることができ、スリーブ１０と内筒部１１の取り外し作業が非常に簡単になるうえ、板状ガイド突起２３やらせん溝１３，２４が長期間にわたって破損したり、損傷したりしなくなる。また、スリーブ１０を内筒部１１に取り付けたときに両らせん溝１３，２４が非ら合状態であっても、スリーブ１０と内筒部１１とを少し相対的に回動させるだけで、両らせん溝１３，２４をら合させることができる。さらに、内筒部１１の太径取付部１７の外周面に、外面に凸曲面状の湾曲部１９ａを有する凸部１９を突設し、この湾曲部１９ａの凸曲面をスリーブ１０の下部内周面に弾圧状に当接させたため、スリーブ１０と内筒部１１を相対回動させたときに両者がスムーズに回動する。これに対し、従来は、上記凸部１９の代わりに、ゴム製Ｏリングを用いていたため、部品点数が１つ多くなって在庫管理等の管理面が煩雑であったり、Ｏリングを組付ける作業が必要であったり、分別収集する際に金属材料，合成樹脂材料以外にゴム材料に仕分けする必要があったりするという問題点があった。しかしながら、この実施の形態では、上記凸部１９を設けたため、部品点数が少なくなって在庫管理等の管理面が楽になり、組付け作業が１つ減少し、かつ分別収集する際に金属材料，合成樹脂材料に仕分けするだけでよいという利点がある。
【００２０】
図１３は本発明の棒状化粧料容器の他の実施の形態を示している。この実施の形態では、袴２を構成する中袴５の円筒部分７に、袴本体４の上端面に載置される円環状の大径部７ｃが形成されており、この大径部７ｃの上面にキャップ１が着脱自在に冠着されている。また、口紅保持部３を構成するスリーブ１０と中皿１２は、図１９に示す外筒３５（スリーブ１０に対応する），繰出筒３２（中皿１２に対応する）と同様の構造をしている。すなわち、スリーブ１０には、その内周面の相対峙する部分に２本のらせん溝（図示せず、図１９参照）が刻設されており、中皿１２には、その外周面の相対峙する部分に、上記らせん溝に係合する２つのガイド突起３１（図１９参照）が突設されている。また、口紅保持部３を構成する内筒部１１には、太径取付部１７が形成されていないものの、スリーブ１０の係合用溝部１０ｂに抜け止め状に、かつ回動自在に係合する１条の円環状の被係合用溝部１７ａが形成されている。そして、図１４に示すように、スリーブ１０の下端部には、その下端縁から縦向きに延びて係合用溝部１０ｂを少し超える複数の切欠き部２７が形成されている。また、図１５に示すように、内筒部１１の下部には、その下端縁から延びて被係合用溝部１７ａを少し超える複数の切欠き部２８が形成されている。それ以外の部分は上記実施の形態と同じであり、同様の部分には同じ符号を付している。この実施の形態でも、上記実施の形態と同様に作用する。
【００２１】
この実施の形態でも、棒状化粧料容器を、キャップ１と袴２とスリーブ１０と内筒部１１と中皿１２に分解することができ、廃棄時に、金属製のキャップ１，袴２，スリーブ１０と、合成樹脂製の内筒部１１，中皿１２とに分別収集することができる。
【００２２】
図１６および図１７は本発明のさらに他の実施の形態を示している。この実施の形態では、スリーブ１０の内周面に１本のらせん溝（図示せず、図１９参照）が刻設されており、中皿１２の外周面に、上記らせん溝に係合する１つのガイド突起３１（図１９参照）が突設されている。そして、内筒部１１には、上記ガイド突起３１が昇降する１本の縦穴１４ａが形成されており、この縦穴１４ａに相対峙する部分に、下端縁から縦向きに延びて上端縁やや下側部分に至る切欠き部２９が形成されている。それ以外の部分は上記他の実施の形態と同じであり、同様の部分には同じ符号を付している。この実施の形態でも、上記他の実施の形態と同様に作用する。
【００２３】
この実施の形態でも、棒状化粧料容器を、キャップ１と袴２とスリーブ１０と内筒部１１と中皿１２に分解することができ、廃棄時に、金属製のキャップ１，袴２，スリーブ１０と、合成樹脂製の内筒部１１，中皿１２とに分別収集することができる。
【００２４】
図１８は中袴５および内筒部１１の変形例を示している。この例では、中袴５の二重壁部分６の内壁６ｂが有天円筒状に形成されているとともに、その外周面に１条の円環状の突条６ｄが形成されている。また、内筒部１１の太径係合部１８の内周面に、上記突条６ｄに取り外し可能に係合する１条の円環状の係合用溝部１８ａが形成されている。このような中袴５および内筒部１１は、上記各実施の形態に用いることができる。
【００２５】
なお、図１に示す実施の形態では、スリーブ１０の下端部に切欠き部を設けていないが、これに限定するものではなく、図１４に示すような複数の切欠き部２７を設けるようにしてもよい。また、図１３に示す実施の形態では、スリーブ１０の下端部に複数の切欠き部２７を設けているが、これら切欠き部２７を設けないようにしてもよい。
【００２６】
【発明の効果】
以上のように、本発明の棒状化粧料容器は、これを構成する有底円筒体と円筒体と外筒とに簡単に分解することができる。したがって、この棒状化粧料容器を廃棄する場合に、有底円筒体と円筒体と外筒とに分解し、これらを材質ごとに選り分けて廃棄することで、ごみの分別収集に対応することができる。しかも、円筒体の下部周壁を内向きに押圧して縮径させたのち外筒から円筒体を引っ張るだけで円筒体と外筒を分解することができ、分解作業が簡単である。本発明において、上記外筒の下部周壁に、その下端縁から延びて上記円筒体との嵌合部分に至る切欠き部が形成されている場合には、円筒体を外筒から取り外す際に、外筒が拡径し、一層取り外し易くなる。
【図面の簡単な説明】
【図１】本発明の棒状化粧料容器の一実施の形態を示す断面図である。
【図２】キャップを示す断面図である。
【図３】袴を示す断面図である。
【図４】口紅保持部の分解断面図である。
【図５】内筒部を示す要部断面図である。
【図６】上記内筒部を示す要部正面図である。
【図７】上記内筒部を示す要部一側面図である。
【図８】上記内筒部を示す要部他側面図である。
【図９】上記内筒部を示す平面図である。
【図１０】中皿を示す断面図である。
【図１１】上記中皿を示す側面図である。
【図１２】上記中皿を示す平面図である。
【図１３】本発明の棒状化粧料容器の他の実施の形態を示す断面図である。
【図１４】上記他の実施の形態のスリーブを示す斜視図である。
【図１５】上記他の実施の形態の内筒部を示す斜視図である。
【図１６】本発明の棒状化粧料容器のさらに他の実施の形態に用いる内筒部の一側面を示す斜視図である。
【図１７】上記さらに他の実施の形態に用いる内筒部の他側面を示す断面図である。
【図１８】上記中袴および内筒部の変形例を示す部分拡大断面図である。
【図１９】従来例を示す斜視図である。
【符号の説明】
１  キャップ
２  袴
３  口紅収容部
８  棒状化粧料
１０  スリーブ
１１  内筒部
１２  中皿
１３，２４  らせん溝
１４ａ，１４ｂ  縦穴
２０  切欠き部
２３  板状ガイド突起
【図１】
0003554451.tif 000002
【図２】
0003554451.tif 000003
【図３】
0003554451.tif 000004
【図４】
0003554451.tif 000005
【図５】
0003554451.tif 000006
【図６】
0003554451.tif 000007
【図７】
0003554451.tif 000008
【図８】
0003554451.tif 000009
【図９】
0003554451.tif 000010
【図１０】
0003554451.tif 000011
【図１１】
0003554451.tif 000012
【図１２】
0003554451.tif 000013
【図１３】
0003554451.tif 000014
【図１４】
0003554451.tif 000015
【図１５】
0003554451.tif 000016
【図１６】
0003554451.tif 000017
【図１７】
0003554451.tif 000018
【図１８】
0003554451.tif 000019
【図１９】
0003554451.tif 000020